(57)【要約】【課題】ペットの排泄物を回収した後、人目を気にすることなくこれを持ち帰ることができ、しかも繰り返しの使用に対しても長期間に亘って十分な消臭効果を果たすことができるペット排泄物持ち帰り用のマナーバッグを提供する。【解決手段】本考案にかかるマナーバッグ１は、ペットの排泄物を回収した後のプラスチック製袋を収納する袋部１０に光触媒が塗布されている。光触媒は、日光、特には紫外線に曝されることにより強い酸化作用を示し、有機物を分解する結果殺菌作用、消臭作用を及ぼす。光触媒の塗布スペックは袋部１０の内外に差を設けることができ、例えば内側に対して光触媒の塗布量（目付け量）を多くすること、あるいは内側の光触媒に銀イオンを添加することなどが可能である。光触媒による消臭効果は、他の化合物や活性炭などと比べてはるかに長期間にわたってその効果を維持するものとなる。【選択図】図１
0003154749.tif 000002
【実用新案登録請求の範囲】
【請求項１】
ペットの排泄物を回収したプラスチック製袋を収納して持ち帰るための袋部を有するマナーバッグにおいて、少なくとも前記プラスチック製袋を収納する袋部に光触媒が塗布されていることを特徴とするマナーバッグ。
【請求項２】
前記マナーバッグが、内側布と外側布からなる布製の二重構造となっている、請求項１に記載のマナーバッグ。
【請求項３】
前記マナーバッグが、前記袋部の開口部を覆う蓋部と、前記袋部に取付けられた搬送用の保持部とを更に備えている、請求項１に記載のマナーバッグ。
【請求項４】
前記袋部に塗布される光触媒の塗布スペックが、袋部の内側と外側とで相違している、請求項１から請求項３のいずれか一に記載のマナーバッグ。
【請求項５】
前記袋部の内側と外側とでの光触媒の塗布スペックの相違が、内側の単位面積当たりの光触媒の塗布量が外側の単位面積当たりの塗布量よりも多いこと、または、内側の光触媒に銀イオンが添加されたものであることを特徴とする、請求項４に記載のマナーバッグ。

【考案の詳細な説明】
【技術分野】
【０００１】
本考案は、犬などのペットの散歩時に、回収した排泄物を持ち帰るために使用するマナーバッグに関する。
【背景技術】
【０００２】
犬などのペットを散歩させる際、排泄物（糞）を回収して持ち帰るのは難儀である。特殊な用具を利用する場合を除き、一般にはビニール袋などで回収したあと、これを持ち帰ることとなる。ビニール袋のままむき出しでこれを手に提げて持ち帰るのは他人の目が気になるなどにより気後れする。このため、このビニール袋をいわゆるマナーバッグと呼ばれる布製の入れ物などに入れて持ち帰ることが多く見られるが、この際にはバッグに臭いが移るなどの問題が残る。
【０００３】
楽しいペットとの散歩におけるこの唯一とも思われる煩わしさを解放するため、従来技術においても幾つかの提案がされている。回収そのものの対応については多数のアイデアが見られるが、ビニール袋にて回収したあと持ち帰ることに限定しても、箱型のケースにいれて持ち帰る形式のもの（例えば、特許文献１、特許文献２参照。）、排泄物の臭いを除くもの（例えば、特許文献３、特許文献４参照。）などが提案されている。
【考案の概要】
【考案が解決しようとする課題】
【０００４】
しかしながら、これら従来技術によるものでは未だ十分な対応と言えるものではなかった。すなわち、特許文献１、２に示すようなケースに入れて持ち帰るだけの対応では、上述したように何回かの使用によってケース側に臭いが残り、このケースを家に保管することによって家中に不快な臭気を発散する原因となった。あるいは従来技術によるペット排泄物の消臭には、特許文献３に示すような化合物を用いるもの、特許文献４に示すような活性炭を用いるものなどが見られるが、これらの消臭効果は必ずしも十分とはいえず、あるいは短期間の内にその消臭効果が失われ勝ちであった。
【０００５】
以上より、本考案は、ペットの排泄物を回収した後、人目を気にすることなくこれを持ち帰ることができ、しかも繰り返しの使用に対しても長期間に亘って十分な消臭効果を果たすことができるペット排泄物持ち帰り用のマナーバッグを提供することを目的としている。
【課題を解決するための手段】
【０００６】
本考案は、上記目的に対し、繰り返しの使用によっても消臭効果の減退が殆ど見られず、長期間での使用に耐える光触媒を利用したマナーバッグを提供することにより従来技術にある課題を解消するもので、具体的には以下の内容を含んでいる。
【０００７】
すなわち、本考案に係る一つの態様は、ペットの排泄物を回収した後のプラスチック製袋を収納して持ち帰るための袋部を有するマナーバッグであって、少なくとも前記プラスチック製袋を収納する袋部に光触媒が塗布されていることを特徴とするマナーバッグに関する。
【０００８】
前記マナーバッグは、内側布と外側布からなる布製の二重構造とすることができる。前記マナーバッグはまた、前記袋部の開口部を覆う蓋部と、前記袋部に取付けられた搬送用の保持部とを更に備えていてもよい。
【０００９】
そして、前記袋部に塗布される光触媒の仕様は、袋部の内側と外側とで相違したものとすることができ、たとえば内側の単位面積当たりの光触媒の塗布量を外側の単位面積当たりの塗布量よりも多くすること、あるいは内側の光触媒に対して銀イオンを追加したものとすることができる。
【考案の効果】
【００１０】
本考案の実施により、ビニール袋等に回収されたペットの排泄物の家への持ち帰りを容易にし、また、持ち帰り後の臭気による不快感を排除又は軽減し、ペット愛好家からペット散歩時における煩わしさを解放することによって、ペットとの散歩をより快適なものにするという効果を奏する。
【図面の簡単な説明】
【００１１】
【図１】本考案に係るペット用マナーバッグの外観例を示す斜視図である。
【考案を実施するための形態】
【００１２】
本考案の第１の実施の形態に係るペット排泄物持ち帰り用バッグ（以下、「マナーバッグ」という。）について、図面を参照して説明する。図１は、本実施の形態に係るマナーバッグ１を示しており、図においてマナーバッグ１は、上方に向けて開く開口部１１を有する袋状の袋部１０と、袋部１０の一辺から延びて開口部１１を閉鎖可能な蓋部２０と、蓋部２０の背後から延び、マナーバッグ１を搬送する際に使用する保持部３０と、オプションである連結環取付け部４０とから構成されている。
【００１３】
図示の例では、マナーバッグ１は内張りと外張りの二重の布製であり、袋部１０と蓋部２０は一体に形成されている。袋部１０の側面には折込部１２が設けられて袋部１０が十分な容量を確保できるようにしている。また、蓋部２０が矢印Ａに示すように開口部１１を覆ってこれを閉鎖する際には、袋部１０と蓋部２０にそれぞれ設けられたマジックテープ（登録商標、以下同。）１３ａ、１３ｂにより蓋部２０が袋部１０に固定される。必要であれば開口部１１の内部にもさらにマジックテープ１４を設け、対向して袋部１０内側の位置に設けられる図示しないマジックテープと係合して開口部１１の閉鎖を確実にすることもできる。
【００１４】
保持部３０は、ユーザが当該マナーバッグ１の搬送をする際にこれを持つためのもので、図示の例では手提げ用に設けられる環状ベルト３１と、この他にオプションとして「ナスカン」などの連結環４１が取り付け可能な連結環ベルト３２とが設けられている。連結環ベルト３２には、金属製のリング３３が設けられていることが好ましい。連結環取付け部４０は、図示のように連結環４１を使用しない場合に連結環４１を取付けておくことができる。連結環４１を使用する際には、連結環４１を連結環取付け部４０から外してリング３３に通すことにより、連結環４１を利用してマナーバッグ１をユーザのベルトなどに吊り下げることが可能となる。連結環４１はオプションであって、これを利用しない場合には連結環ベルト３２、リング３３、連結環取付け部４０なども不要である。
【００１５】
本実施の形態の特徴は、少なくとも袋部１０、および好ましくは蓋部２０を含めて、布の表面に光触媒が塗布されていることである。光触媒は二酸化チタン（ＴｉＯ２）のことで、光触媒自身は従来技術で知られているものである。光触媒は、日光、特には紫外線に曝されることによって表面から電子が飛び出し、飛び出した後のホールが強い酸化作用を及ぼすもので、この酸化作用によって有機物を分解し、これが抗菌効果、消臭効果を奏するものとなる。光触媒はこれまで、その特性を生かしてマスク、タオル、ハンカチなどに使用されているが、これら肌に直接接するものに塗布された場合には、頻繁に洗濯されることが多く、そのため除菌、消臭効果は徐々に減退するものとなる。
【００１６】
本考案におけるマナーバッグ１に光触媒を塗布した場合、一般には繰り返し洗濯されることがそれほどないため、光触媒による抗菌、消臭効果を長期間に亘って維持することが可能となる。具体的な使用方法としては、ペットの排泄物をビニール袋により回収し、ビニール袋の開口部を縛って閉じた後、本考案のマナーバッグ１の袋部１０内に入れ、蓋部２０を閉めて家に持ち帰るものである。持ち帰った後にビニール袋を取り出して処理し、空になったマナーバッグを外に出して日向干しとする。紫外線の作用で光触媒が活性化し、抗菌、消臭作用を及ぼす結果、マナーバッグは悪臭を放つことなく、除菌もされて衛生的な状態に保つことができる。
【００１７】
本考案にかかる光触媒を利用したマナーバッグによれば、従来の化学物質、活性炭などを利用したものと比べてはるかに消臭効果が高まり、また抗菌効果も勝れており、かつ長期間に亘ってその効果を保つことができる。日向干しにする際には、マナーバッグ１の袋部１０を裏返しにして袋の内側を日に当てることも効果的である。光触媒が予め塗布されることにより、ユーザは何ら特別な手入れをする必要がないため、悪臭などの不快感に悩まされることなく、手軽に快適に利用することができる。
【００１８】
なお、本考案にかかるマナーバッグの主要な技術的事項は、上述のように光触媒を施して消臭、消毒効果を果たすことにあり、従って図１に示すマナーバッグ１の構造は単なる例示であって、光触媒を施されるものである限り、その形状、構造は問わないものとなる。例えば、マナーバックは布製でなくても、プラスチックを箱状に形成したものであってもよい。この際、袋部の側面を開放可能にして使用のたびに袋の内部を日光に暴露できるよう構成することもできる。また、光触媒の保持製を良好にするために特に袋部の内側のプラスチック表面に植毛することもできる。さらには、図１に示す例では蓋部２０を袋部１０に被せる構造としているが、蓋部２０の代わりに袋部１０の開口部１１に編み込まれた紐を引いて袋部１０を閉じる形式のものであってもよい。この際、保持部３０を設けることなく、前記紐を手さげ用に利用することもできる。また、ペット排泄物の回収手段は任意であってビニール袋は単なる一例であり、他のプラスチック製の袋、非透過性の紙、布などであってもよい。
【００１９】
次に、本考案の第２の実施の形態に係るマナーバッグについて説明する。本実施の形態に係るマナーバッグの構造は図１に示すものと同様であってもよく、あるいは上述したような他の形状、構造のものであってもよい。本実施の形態にかかるマナーバッグの主要な技術的事項は、少なくとも袋部１０、好ましくは蓋部２０を含めて、塗布される光触媒の塗布スペックが、袋部１０、蓋部２０の内側と外側で相違することにある。その一例として、光触媒の塗布量（目付け量）を、袋部１０（蓋部２０が含まれていても良い）の内側において袋部１０の外側よりも多くすることである。
【００２０】
一般に光触媒を布の表面に塗布する場合、一定の塗布量に至るまでは単位面積当たりの塗布量の多少によって消臭効果に差が見られる。当然、塗布量の多い方が消臭効果は高くなるが、これには経済性の問題も考慮しなければならない。例えば本願考案にかかるマナーバッグにおいては、袋部１の表面積１ｍ２当たり１４ｇの光触媒塗布を目安としている。その使用目的から考慮すると、より大きな消臭効果が期待されるのは袋部１０の内側であり、従って内側への光触媒の塗布量を外側への塗布量に対して相対的に多目とし、袋部１０の内側において消臭効果を高めることによって消臭効果と経済性との両立を図ることができる。なお、上述した塗布量の目安は単なる一例であって、使用目的に応じてこれを増減した量を目安にすることは自由である。
【００２１】
他の例として、袋部１０の外側には光触媒のみを塗布し、袋部１０の内側には銀イオンを添加した光触媒を塗布することができる。銀イオンは、銀イオン自身が発生する際に同時に活性酸素が生成され、この活性酸素が有機物を破壊し、消臭効果、殺菌効果を奏するものであることが知られている。上述したように光触媒は紫外線に暴露されることによってその消臭、殺菌効果を発揮するが、銀イオンは紫外線あるいは日光へ暴露されることなくその効果を発揮することができる。
【００２２】
したがって、マナーバックの例のように袋部の内側などの日の当らない場所にあってはこの銀イオンを添加することによって光触媒による消臭効果の効力不足をこれで補うことができる。このため、光触媒のみを塗布する場合には袋部の外側と、これを裏返して内側の両方に光を当てることも必要とされ得るが、銀イオンを追加することによってこの煩わしさを回避することができる。但し、この場合にあっても、たまには内、外を裏返して内側にも日を当てることが好ましい。
【産業上の利用可能性】
【００２３】
本考案に係るペット用マナーバッグは、布製品製造、ペット関連商品販売等の産業分野において広く利用することができる。
【符号の説明】
【００２４】
１．エチケットバック、  １０．袋部、  １１．開口部、  １２．折込部、  １３ａ、１３ｂ、１４：マジックテープ、  ２０．蓋部、  ３０．保持部、  ３１．環状ベルト、  ３２．連結環ベルト、  ３３．リング、    ４０．連結環取付け部、  ４１．連結環。
【先行技術文献】
【特許文献】
【００２５】
【特許文献１】特開２００５−３１８８７９号公報
【特許文献２】特開２００６−２８０３５６号公報
【特許文献３】特開２００３−１３４４０４号公報
【特許文献４】特開平９−２２５０１３号公報
【図１】
0003154749.tif 000003